(57)【要約】【課題】省スペースにてノイズ対策ができる車両用計器装置を提供する。【解決手段】液晶表示パネル１と、液晶表示パネル１を背後から照明する光源３と、液晶表示パネル１を表示制御する制御回路４と、液晶表示パネル１の背後に配置され、光源３と制御回路４とを含む電子部品が実装される回路基板５と、液晶表示パネル１と回路基板５とを電気的に接続する接続部材６と、光源３と、制御回路４と、接続部材６を囲うとともに、液晶表示パネル１を保持するシールドケース８とを備えた。【選択図】図３
2011203399.tif 000002
【特許請求の範囲】
【請求項１】
本発明は、液晶表示パネルと、
前記液晶表示パネルを背後から照明する光源と、
前記液晶表示パネルを表示制御する制御回路と、
前記液晶表示パネルの背後に配置され、前記光源と制御回路とを含む電子部品が実装される回路基板と、
前記液晶表示パネルと前記回路基板とを電気的に接続する接続部材と、
前記光源と、前記制御回路と、前記接続部材を囲うとともに、前記液晶表示パネルを保持するシールドケースと
を備えたことを特徴とする液晶表示装置。
【請求項２】
前記シールドケースは、前記回路基板に設けられた接地パターンに接続されることを特徴とする請求項１記載の液晶表示装置。
【請求項３】
前記シールドケースに囲われる前記回路基板の基板面もしくは当該基板面の反対側の面に前記接地パターンに連なるか、もしくは前記接地パターンとは別の接地パターンを設けてなることを特徴とする請求項１または２記載の液晶表示装置。
【発明の詳細な説明】
【技術分野】
【０００１】
本発明は、液晶表示パネルを用いた液晶表示装置に関し、特に外部からの電磁波を遮断するシールドケースを備えた液晶表示装置に関するものである。
【背景技術】
【０００２】
従来から、表示素子として例えば液晶表示パネルを用いた液晶表示装置が知られている。液晶表示パネルは、一般的に、液晶の注入口となる部分を周縁部に残して２枚の基板を貼り合わせた後、注入口を介して液晶を封入し、その後、注入口をＵＶ硬化樹脂などからなる封止部によって封止して形成される。
【０００３】
また、これらの液晶表示パネルを固定保持するために、金属製の固定枠を用いたものがあり、例えば特許文献１に記載されている。この固定枠により、液晶表示パネルが発生する熱を固定枠へ十分に伝達させて熱放出することができ、熱による表示の色ムラを低減できるという効果が期待できる。
【０００４】
一方、液晶表示装置にあっては、車両情報を表示制御するためのコンピューターユニットを用いており、車両内外の電子機器からの電磁波ノイズによりコンピューターユニットが誤動作することを防止する目的として、金属製のシールドケースでコンピューターユニットを覆うものが知られており、例えば特許文献２に開示されている。
【先行技術文献】
【特許文献】
【０００５】
【特許文献１】特開２００１−１３８８６号公報
【特許文献２】特開平１−１２２７３９号公報
【発明の概要】
【発明が解決しようとする課題】
【０００６】
しかしながら、液晶表示パネルを用いて車両情報を表示する液晶表示装置においては、液晶表示パネルとコンピューターユニットに金属製の固定枠やシールドケースが必要となり、限られたメータ内のスペースに実装する上で改善の余地があった。また、液晶表示パネルとそれを制御するコンピューターユニットとの接続部材にも電磁波ノイズの対策が必要となる課題があった。
【０００７】
そこで、本発明はこの様な点に鑑みなされたもので、省スペースにてノイズ対策ができる液晶表示装置を提供することを目的とする。
【課題を解決するための手段】
【０００８】
本発明は、液晶表示パネルと、
前記液晶表示パネルを背後から照明する光源と、
前記液晶表示パネルを表示制御する制御回路と、
前記液晶表示パネルの背後に配置され、前記光源と前記制御回路とを含む電子部品が実装される回路基板と、
前記液晶表示パネルと前記回路基板とを電気的に接続する接続部材と、
前記光源と、前記制御回路と、前記接続部材とを囲うとともに、前記液晶表示パネルを保持するシールドケースと
を備えたものである。
【０００９】
前記シールドケースは、前記回路基板に設けられた接地パターンに接続されるものである。
【００１０】
前記シールドケースに囲われる前記回路基板の基板面もしくは当該基板面の反対側の面に前記接地パターンに連なるか、もしくは前記接地パターンとは別の接地パターンを設けてなるものである。
【発明の効果】
【００１１】
本発明によれば、部品点数の削減による省スペース化を実現しながら、電磁波等の外来ノイズに強い液晶表示装置を提供することができる。
【図面の簡単な説明】
【００１２】
【図１】本発明の第１の実施形態による液晶表示装置の正面図。
【図２】同上のＡ−Ａ断面図。
【図３】同上の要部拡大図。
【図４】同上の斜視図。
【図５】本発明の第２の実施形態による液晶表示装置の断面図。
【発明を実施するための形態】
【００１３】
本発明の液晶表示装置の第１の実施形態について、液晶表示パネルを用いたパネル表示器Ａや指針を用いた指針式表示器Ｂを用いた複合計器に本発明の液晶表示装置を適用したものを実施例としてあげ、添付図面を用いて以下に説明する。
【００１４】
図１、図２に示すように、液晶表示装置は、パネル表示器Ａと指針式表示器Ｂとからなり、パネル表示器Ａは、図３に示すように、液晶表示パネル１と、セルケース２と、光源３と、制御回路４と、回路基板５と、接続部材６と、コネクタ７と、シールドケース８とから構成され、指針式表示器Ｂは、指針１０と、指針軸１１と、駆動源１２と、表示板１３とから構成される。
【００１５】
液晶表示パネル１は、図３に示すように、前側ガラス基板１Ａと後側ガラス基板１Ｂとの間に液晶分子を封入し、各々のガラス基板１Ａ，１Ｂに偏光膜を貼ったものである。そして、各ガラス基板１Ａ，１Ｂに設けた図示しない電極部に外部測定量に応じた信号（電圧）が印加されると、車両の作動状態（例えば車両の走行距離や燃料残量）などが表示されるパネル表示器が黒色で現れるようになっている。液晶表示部以外の背景部は、回路基板５に実装してある光源３の点灯によって透過照明されるようになっている。
【００１６】
セルケース２は例えば白色の合成樹脂からなり、液晶表示パネル１の周縁が載置される載置部２Ａと、周壁２Ｂと、傾斜壁２Ｃを有している。
【００１７】
パネル表示器Ａに用いられる光源３は、例えば発光ダイオードを用いている。
【００１８】
また、液晶表示パネル１の背面には、光源３からの光を均一に液晶表示パネル１の裏面側に導く拡散板１Ｃが設けられている。この拡散板１Ｃは、例えば無色透明な合成樹脂であるポリカーボネート樹脂からなるシート材の両面あるいは何れか一方の面に微細な凹凸（シボ）を施したもの、或いは透過性を有する乳白色のポリカーボネート樹脂からなるシート材である。
【００１９】
制御回路４は、本実施形態においては、液晶表示パネル１に表示動作を行わせるＣＰＵやＲＡＭ、インターフェイスなどを設けたマイクロコンピュータ、駆動回路、電源回路などから構成される。
【００２０】
回路基板５は、ガラスエポシキ樹脂からなる硬質回路基板を適用でき、図１に示すように、液晶表示パネル１を照明する光源３の他に、制御回路４が同一面上に実装され、それらの電子部品に電力供給するための図示しない回路パターンが形成されている。
【００２１】
接続部材６は、本発明においては、フレキシブルプリント接続部材を用いており、詳細は図示しないが、例えばポリイミド樹脂からなる合成樹脂製のベースフィルムに、液晶表示パネル１に設けられた電極部および回路基板５に設けられた回路と接続される銅箔からなる電極部を例えばエッチング法で形成した後、液晶表示パネル１および回路基板５と接続される箇所の電極部を除いて絶縁保護となる保護フィルムを貼り合わせたものである。このフレキシブルプリント接続部材（接続部材）６の一方の端部は液晶表示パネル１の後側ガラス基板１Ｂに固着され、他方の端部は回路基板５に実装されたコネクタ７に挿入される。
【００２２】
コネクタ７は、合成樹脂製のハウジングと、このハウジング内に配置される接続端子とからなり、接続部材６の端子部分を挿入することにより、液晶表示パネル１と接続端子とが接触し、導通接続が達成される。
【００２３】
シールドケース８は、例えば金属製であり、セルケース２から液晶表示パネル１や拡散板１Ｃが外れないように前面側から抑えて保持するものであり、そのセルケース２の周壁を囲むように設けられた囲い部８ａと、この囲い部８ａの下端側（回路基板５側）に、回路基板５に沿うように設けられた複数の折り曲げ部８ｂを有している。これら折り曲げ部８ｂには、シールドケース８を回路基板５に設けられたネジ孔部５ａにネジ止めするためのネジ孔８ｃが設けられている。ネジ孔部５ａのうち、特定のネジ孔部５ａの周囲には接地パターン（アースパターン）５ｂが設けられ、対応する折り曲げ部８ｂと例えば半田付けにより接続され、これによりシールドケース８は、回路基板５を通じて接地される。
【００２４】
指針式表示部Ｂを構成する指針１０は、合成樹脂から形成され、表示板１３に印刷などで設けられた指標部を指示するものである。表示板１３の背後に配置される駆動源１２から延びる指針軸１１は、表示板１３に設けられた貫通孔を貫通して、その先端に指針１０が装着される。
【００２５】
パネル表示器Ａの組み付けは次の様にして行う。セルケース２の載置部２Ａ上に拡散板１Ｃを載置する。次に、液晶表示パネル１の一端を拡散板１Ｃ側に差し込み、接続部材６が固着された側を押し込む。接続部材６の一方の端をコネクタ７に挿入する。セルケース２の上側をシールドケース８で被せるように配置した後、折り曲げ部８ｂに設けられたビス孔８ｃと回路基板５に設けられたビス孔部５ａとを合わせてビス固定することでパネル表示器Ａが固定される。
【００２６】
このように、本実施形態によれば、液晶表示パネル１と、液晶表示パネル１を背後から照明する光源３と、液晶表示パネル１を表示制御する制御回路４と、液晶表示パネル１の背後に配置され、光源３と制御回路４とを含む電子部品が実装される回路基板５と、液晶表示パネル１と回路基板５とを電気的に接続する接続部材６と、光源３と、制御回路４と、接続部材６を囲うとともに、液晶表示パネル１を保持するシールドケース８とを備えたことによって、シールドケース８が液晶表示パネル１の保持と電磁波ノイズのシールド機能を兼ね備えるため、部品点数の削減に伴う省スペース化を実現しながらノイズ対策を行うことができる。
【００２７】
また本実施形態では、シールドケース８が回路基板５に設けられた接地パターン５ｂに接続されることにより、シールドケース８によって電磁波ノイズを接地吸収できるため、ノイズ対策を効果的に行うことができる。
【００２８】
次に図５に基づき本発明の第２の実施形態を説明する。
本実施計形態では、シールドケース８に囲われる回路基板５の基板面（領域）の反対側の面に、接地パターン５ｂとは別の接地パターン５ｃを設けたものである。
【００２９】
当該接地パターン５は、制御回路４を含む電子部品を接地させるためのパターンであり、シールドケース８に囲われる回路基板５の基板面（領域）の反対側の面に形成することで、電磁波等の有害ノイズのシールド機能を持たせている。
なお本実施形態では、接地パターン５ｃを接地パターン５ｂとは別のパターンとしたが、連続する同一のパターンとすることも可能であり、また接地パターン５ｂ，５ｃは、シールドケース８に囲われる回路基板５の基板面（領域）に形成することもできる。
【符号の説明】
【００３０】
1     液晶表示パネル
２    セルケース
３    光源
４    制御回路
５    回路基板
６    接続部材
７    コネクタ
８    シールドケース
１０  指針
１１  指針軸
１２  駆動源
１３  表示板
Ａ    パネル表示器
Ｂ    指針式表示器
【図１】
2011203399.tif 000003
【図２】
2011203399.tif 000004
【図３】
2011203399.tif 000005
【図４】
2011203399.tif 000006
【図５】
2011203399.tif 000007